(57)【要約】【課題】  成形型（２）から離脱せしめられる成形品（８）を、成形品が前成形体である場合には特にそのブロー成形部（１２））を、損傷せしめることなく受け取って搬送することができる成形品搬送装置（１６）を提供する。【解決手段】  成形品搬送装置を一対の無端搬送チェーン機構（１８ａ、１８ｂ）から構成する。成形品受渡領域（６）において、一対の無端搬送チェーン機構の無端チェーン（２６ａ、２６ｂ）における上方搬送走行部（３２ａ、３２ｂ）が成形型移動径路（４）に沿ってその下方を延び、成形型から離脱せしめられる成形品が一対の無端搬送チェーン機構の無端チェーンにおける上方搬送走行部に受け取られ、上方搬送走行部の移動に付随して移動せしめられるようになす。【選択図】          図１
2005297350.tif 000002
【特許請求の範囲】
【請求項１】
成形型移動径路における成形品受渡領域を通して移動せしめられる成形型から離脱せしめられる成形品を受け取って搬送するための成形品搬送装置にして、
搬送方向に対して横方向に間隔をおいて配設された一対の無端搬送チェーン機構を具備し、
該一対の無端搬送チェーン機構の各々は上方搬送走行部と下方戻り走行部とを有する無端チェーンを有し、
該一対の無端搬送チェーン機構の該無端チェーンにおける該上方搬送走行部は、該成形品受渡領域において、該成形型移動径路に沿ってその下方を延び、該成形品受渡領域において、該成形型から離脱せしめられる該成形品が該一対の無端搬送チェーン機構の該無端チェーンにおける該上方搬送走行部に受け取られ、該上方搬送走行部の移動に付随して移動せしめられる、ことを特徴とする成形品搬送装置。
【請求項２】
該成形品は全体として円筒形状である口頸部と該口頸部から垂下する有底円筒形状であるブロー成形部とを有する前成形体であり、該口頸部の外周面には半径方向外方に張り出したネックリングが形成されており、
該一対の無端搬送チェーン機構の該無端チェーンにおける該上方搬送走行部の横方向間隔は、該成形品受渡領域において、下流に向かって該前成形体の該ネックリングの外径よりも大きい値から該前成形体の該ネックリングより下方の部分の外径よりは大きいが該ネックリングの外径よりは小さい値に低減せしめられ、該前成形品の該ネックリングの下面が該一対の無端搬送チェーン機構の該無端チェーンにおける該上方搬送走行部上に支持される、請求項１記載の成形品搬送装置。
【請求項３】
該成形品受渡領域において、該成形型は該前成形体を正立状態で該口頸部を把持して該ブロー成形部を露呈せしめた状態で移動せしめられ、下流に向かって該成形型が該一対の無端搬送チェーンに対して相対的に下降せしめられて該前成形体の該ブロー成形部が該一対の無端搬送チェーン機構の該上方搬送走行部間に進入せしめられる、請求項２記載の成形品搬送装置。
【請求項４】
該成形品は全体として円筒形状である口頸部と該口頸部から垂下する有底円筒形状であるブロー成形部とを有する前成形体であり、該口頸部の外周面には半径方向外方に張り出したネックリングが形成されており、
該成形品受渡領域の少なくとも下流部において、該一対の無端搬送チェーン機構の該無端チェーンにおける該上方搬送走行部の横方向間隔は該前成形体の該ネックリングより下方の部分の外径よりは大きいが該ネックリングの外径よりは小さい値であり、該一対の無端搬送チェーン機構の該無端チェーンにおける該下方戻り走行部の横方向間隔は該上方搬送走行部の横方向間隔よりも大きい、請求項１記載の成形品搬送装置。
【請求項５】
該成形型と該一対の無端搬送チェーン機構の移動速度は実質上同一である、請求項１から４までのいずれかに記載の成形品搬送装置。
【請求項６】
該一対の無端搬送チェーン機構の下流側には一対の付加無端搬送チェーン機構が配設されており、該一対の付加無端搬送チェーン機構の各々も上方搬送走行部と下方戻り走行部とを有する無端チェーンを有し、
該一対の無端搬送チェーン機構の一方の該無端チェーンにおける該上方搬送走行部の下流端は該一対の無端搬送チェーン機構の他方の該無端チェーンにおける該上方搬送走行部の下流端をよりも下流に位置せしめられており、該一対の付加無端搬送チェーン機構の一方の該無端チェーンの該上方搬送走行部の上流端は該一対の無端搬送チェーン機構の該一方の該無端チェーンにおける該上方搬送走行部の下流端に隣接して位置せしめられ、該一対の付加無端搬送チェーン機構の他方の該無端チェーンの該上方搬送走行部の上流端は該一対の無端搬送チェーン機構の該他方の該無端チェーンにおける該上方搬送走行部の下流端に隣接して位置せしめられており、該一対の無端搬送チェーン機構の該一方の該無端チェーンの該上方搬送走行部の下流端と該一対の付加無端搬送チェーン機構の該一方の該無端チェーンにおける該上方搬送走行部の上流端との間には静止案内部材が配設され、該一対の無端搬送チェーン機構の該他方の該無端チェーンの該上方搬送走行部の下流端と該一対の付加無端搬送チェーン機構の該他方の該無端チェーンにおける該上方搬送走行部の上流端との間にも静止案内部材が配設され、
該一対の無端搬送チェーン機構の該無端チェーンの移動速度と該一対の付加無端搬送チェーン機構の該無端チェーンの移動速度とは異なる、請求項１から５までのいずれかに記載の成形品搬送装置。
【請求項７】
該一対の付加無端搬送チェーン機構の該無端チェーンの移動速度は該一対の無端搬送チェーン機構の該無端チェーンの移動速度よりも小さい、請求項６記載の成形品搬送装置。
【発明の詳細な説明】
【技術分野】
【０００１】
本発明は、成形型から離脱せしめられる成形品を受け取って搬送するための成形品搬送装置、特に、それに限定されるものではないが、成形品が後にブロー成形されて容器にせしめられる前成形体である場合に好都合に適用される成形品搬送装置に関する。
【背景技術】
【０００２】
飲料等のための容器として、ポリエチレンテレフタレートの如き適宜の合成樹脂から形成された合成樹脂容器が広く実用に供されている。かような合成樹脂容器は、下記特許文献１乃至３に開示されている如く、前成形体（一般にプリフォームと称されている）を成形し、次いでかかる前成形体をブロー成形することによって好都合に形成することができる。前成形体は全体として円筒形状である口頸部とこの口頸部から垂下する有底円筒形状であるブロー成形部とを有し、口頸部の外周面には半径方向外方に張り出したネックリングが形成されている。かような前成形体は回転式圧縮成形機によって好都合に圧縮成形することができる。回転式圧縮成形機においては、複数個の成形型が円形状である成形型移送径路を通して連続的に移動せしめられる。成形型移動径路は溶融合成樹脂供給領域、圧縮成形領域、冷却領域及び成形品受渡領域を含んでいる。溶融合成樹脂供給領域においては開状態にある成形型の所要部位に溶融状態の合成樹脂素材が供給され、圧縮成形領域においては成形型が閉じられて溶融合成樹脂が成形品即ち前成形体に圧縮成形され、冷却領域においては圧縮成形された前成形体が冷却され、成形品受渡領域においては成形型から前成形体が離脱されて成形品搬送装置に受け渡される。成形型が冷却領域から成形品受渡領域に移動せしめられる際には成形型が漸次開かれて、前成形体はそのブロー成形部が露呈されてその口頸部のみが成形型に把持された状態にせしめられる。そして、成形品受渡領域においては成形型による前成形体の把持が完全に解除されて前成形体が成形型から離脱せしめられる。
【０００３】
周知の如く、成形品受取領域において成形品を受け取る成形品搬送装置は、成形品受渡領域において成形型移動径路に沿ってその下方を延びる一対の静止案内部材とかかる一対の静止案内部材の下端部に関連せしめて配設された回転スターホイールとを含んでいる。成形型から離脱せしめられた前成形体は一対の静止案内部材間を下降し、そして前成形体のブロー成形部に回転スターホイールが作用して前成形体を所要部位まで弧状に搬送せしめる。
【特許文献１】特開２０００−２５７２９号公報
【特許文献２】特開２０００−１０８１２７号公報
【特許文献３】特開２０００−２８０２４８号公報
【発明の開示】
【発明が解決しようとする課題】
【０００４】
上述したとおりの従来の成形品搬送装置には次のとおりの解決すべき問題がある。成形型から落下せしめられる前成形体のブロー成形部は、比較的早期に成形型から離脱され、従って成形型に配設されている冷却手段による冷却作用から比較的早期に解放されてしまう等に起因して、未だ充分に冷却されておらず比較的高温である。かようなブロー成形部に回転スターホイールが作用する故に、ブロー成形部が損傷されてしまう虞が少なくない。また、前成形体が下降せしめられる際にブロー成形部が一対の静止案内部材に接触し、これによってブロー成形部が損傷されてしまう虞もある。そして、ブロー成形部の損傷は、ブロー成形部をブロー成形すると拡大され、最終製品である容器の外観を著しく損ねることになる。
【０００５】
本発明は上記事実に鑑みてなされたものであり、その主たる技術的課題は、成形型から離脱せしめられる成形品を、成形品が前成形体である場合には特にそのブロー成形部を、損傷せしめることなく受け取って搬送することができる、新規且つ改良された成形品搬送装置を提供することである。
【課題を解決するための手段】
【０００６】
本発明者等は、鋭意検討の結果、成形品搬送装置を一対の無端搬送チェーン機構から構成し、成形品受渡領域において、一対の無端搬送チェーン機構の無端チェーンにおける上側搬送走行部が成形型移動径路に沿ってその下方を延び、成形型から離脱せしめられる成形品が一対の無端搬送チェーン機構の無端チェーンにおける上側搬送走行部に受け取られ、上側搬送走行部の移動に付随して移動せしめられるようになす、ことによって上記主たる技術的課題を達成することができることを見出した。
【０００７】
即ち、本発明によれば、上記主たる技術的課題を達成することができる成形品搬送装置として、成形型移動径路における成形品受渡領域を通して移動せしめられる成形型から離脱せしめられる成形品を受け取って搬送するための成形品搬送装置にして、
搬送方向に対して横方向に間隔をおいて配設された一対の無端搬送チェーン機構を具備し、
該一対の無端搬送チェーン機構の各々は上側搬送走行部と下側戻り走行部とを有する無端チェーンを有し、
該一対の無端搬送チェーン機構の該無端チェーンにおける該上側搬送走行部は、該成形品受渡領域において、該成形型移動径路に沿ってその下方を延び、該成形品受渡領域において、該成形型から離脱せしめられる該成形品が該一対の無端搬送チェーン機構の該無端チェーンにおける該上側搬送走行部に受け取られ、該上側搬送走行部の移動に付随して移動せしめられる、ことを特徴とする成形品搬送装置が提供される。
【０００８】
好適実施形態においては、該成形品は全体として円筒形状である口頸部と該口頸部から垂下する有底円筒形状であるブロー成形部とを有する前成形体であり、該口頸部の外周面には半径方向外方に張り出したネックリングが形成されており、該一対の無端搬送チェーン機構の該無端チェーンにおける該上側搬送走行部の横方向間隔は、該成形品受渡領域において、下流に向かって該前成形体の該ネックリングの外径よりも大きい値から該前成形体の該ネックリングより下方の部分の外径よりは大きいが該ネックリングの外径よりは小さい値に低減せしめられ、該前成形品の該ネックリングの下面が該一対の無端搬送チェーン機構の該無端チェーンにおける該上方搬送走行部上に支持される。該成形品受渡領域において、該成形型は該前成形体を正立状態で該口頸部を把持して該ブロー成形部を露呈せしめた状態で移動せしめられ、下流に向かって該成形型が該一対の無端搬送チェーンに対して相対的に下降せしめられて該前成形体の該ブロー成形部が該一対の無端搬送チェーン機構の該上側搬送走行部間に進入せしめられるのが好ましい。該成形品受渡領域の少なくとも下流部において、該一対の無端搬送チェーン機構の該無端チェーンにおける該下側戻り走行部の横方向間隔は該上側搬送走行部の横方向間隔よりも大きいのが好都合である。該成形型と該一対の無端搬送チェーン機構の移動速度は実質上同一であるのが好適である。好ましくは、該一対の無端搬送チェーン機構の下流側には一対の付加無端搬送チェーン機構が配設されており、該一対の付加無端搬送チェーン機構の各々も上方搬送走行部と下方戻り走行部とを有する無端チェーンを有し、該一対の無端搬送チェーン機構の一方の該無端チェーンにおける該上方搬送走行部の下流端は該一対の無端搬送チェーン機構の他方の該無端チェーンにおける該上方搬送走行部の下流端をよりも下流に位置せしめられており、該一対の付加無端搬送チェーン機構の一方の該無端チェーンの該上方搬送走行部の上流端は該一対の無端搬送チェーン機構の該一方の該無端チェーンにおける該上方搬送走行部の下流端に隣接して位置せしめられ、該一対の付加無端搬送チェーン機構の他方の該無端チェーンの該上方搬送走行部の上流端は該一対の無端搬送チェーン機構の該他方の該無端チェーンにおける該上方搬送走行部の下流端に隣接して位置せしめられており、該一対の無端搬送チェーン機構の該一方の該無端チェーンの該上方搬送走行部の下流端と該一対の付加無端搬送チェーン機構の該一方の該無端チェーンにおける該上方搬送走行部の上流端との間には静止案内部材が配設され、該一対の無端搬送チェーン機構の該他方の該無端チェーンの該上方搬送走行部の下流端と該一対の付加無端搬送チェーン機構の該他方の該無端チェーンにおける該上方搬送走行部の上流端との間にも静止案内部材が配設され、該一対の無端搬送チェーン機構の該無端チェーンの移動速度と該一対の付加無端搬送チェーン機構の該無端チェーンの移動速度とは異なる。該一対の付加無端搬送チェーン機構の該無端チェーンの移動速度は該一対の無端搬送チェーン機構の該無端チェーンの移動速度よりも小さくすることができる。
【発明の効果】
【０００９】
本発明の成形品搬送装置においては、成形型から離脱せしめられる成形品は成形型の移動に応じて移動せしめられる一対の無端搬送チェーン機構の無端チェーンの上方搬送走行部によって受け取られる。従って、成形品が損傷せしめられることが可及的に回避される。特に成形品が前成形体である場合には、比較的低温に冷却することができる口頸部のネックリングの下面が無端チェーンの上方搬送走行部によって支持されるようになすことができ、従って前成形体、特にそのブロー成形部が損傷されてしまうことを充分確実に回避することができる。
【発明を実施するための最良の形態】
【００１０】
以下、添付図面を参照して、本発明に従って構成された成形品搬送装置の好適実施形態について更に詳細に説明する。
【００１１】
図１を参照して説明すると、それ自体は周知の形態でよい回転式圧縮成形装置における複数個の成形型２（その一部のみを図示している）は、円形である成形型移動径路４（その一部のみを図示している）を通して移動せしめられる。成形型移動径路４は成形品受渡領域６を含んでおり、後に更に言及する如く成形型２が成形品受渡領域６を移動せしめられる間には圧縮成形された成形品８が成形型２から離脱されて下方に落下せしめられる。図示の実施形態においては、図２、図４及び図５に明確に図示する如く、回転式圧縮成形装置において圧縮成形される成形品８は、後にブロー成形が施されて容器にせしめられるそれ自体は周知の形態でよい前成形体であり、全体として円筒形状の口頸部１０とこの口頸部１０から垂下する有底円筒形状であるブロー成形部１２とを有する。口頸部１０の下端部外周面には半径方向に張り出したネックリング１４が形成されている。
【００１２】
成形品受渡領域６において成形型２から離脱せしめられる成形品８は、全体を番号１６で示す、本発明に従って構成された成形品搬送装置に受け取られて搬送される。図１と共に図２及び図３を参照して説明すると、図示の成形品搬送装置１６は搬送方向に対して横方向に間隔をおいて配設された一対の無端搬送チェーン機構１８ａ及び１８ｂと同様に搬送方向に対して横方向に間隔をおいて配設された一対の付加無端搬送チェーン機構２０ａ及び２０ｂとから構成されている。
【００１３】
図１乃至図３と共に図４及び図５を参照して説明を続けると、無端搬送チェーン機構１８ａは被駆動スプロケットホイール２２ａ（図３を参照されたい）、従動スプロケットホイール２４ａ（図２及び図４を参照された）及びこれらに巻き掛けられた無端チェーン２６ａを具備している。被駆動スプロケットホイール２２ａは回転軸２８ａに固定されており、回転軸２８ａは適宜の伝動手段（図示していない）を介して電動モータでよい回転駆動源（図示していない）に接続されている。回転駆動源が付勢されると被駆動スプロケットホイール２２ａ、従ってこれに巻き掛けられている無端チェーン２６ａが矢印で示す方向に駆動される。従動スプロケットホイール２４ａは回転軸３０ａに装着されている。
【００１４】
合成樹脂製無端チェーンであるのが好都合である無端チェーン２６ａの上方搬送走行部３２ａと下方戻り走行部３４ａは、上述した成形型移動径路４における成形品受渡領域６に沿ってその下方を円弧状に延びる上流部と、略半円形状に延在する中間部と、直線状に延びる下流部とを有する。更に詳述すると、従動スプロケットホイール２４ａの直ぐ下流側から被駆動スプロケットホイール２２ａの直ぐ上流側まで、図１に図示するとおりの無端チェーン２６ａの延在軌跡に沿って延びる上方静止案内手段３６ａ及び下方静止案内手段３８ａが配設されている。図１乃至図３においては図面が徒に複雑化するのを回避するため上方静止案内手段３６ａ及び下方静止案内手段３８ａの図示を省略しており、上方静止案内手段３６ａ及び下方静止案内手段３８ａは図５にのみ図示している。適宜の支持部材（図示していない）によって所定位置に固定されている上方静止案内手段３６ａ及び下方静止案内手段３８ａは、夫々、主部材４０ａ及び４２ａと板部材４４ａ及び４６ａとから構成されている。主部材４０ａ及び４２ａには上面及び内側面上端部が開放された案内溝４８ａ及び５０ａが形成されている。板部材４４ａ及び４６ａは主部材４０ａ及び４２ａの上面に締結ねじの如き適宜の締結手段（図示していない）によって連結され、案内溝４８ａ及び５０ａの上面を閉じる。無端チェーン２６ａの主部は案内溝４８ａ及び５０ａ内に収容され、かくして無端チェーン２６ａの上部搬送走行部３２ａ及び下方戻り走行部３４ａの延在軌跡は、夫々、上方静止案内手段３６ａ及び静止下方案内手段３８ａによって規定される。無端チェーン２６ａには案内溝４８ａ及び５０ａの開放されている内側面上端部を通って内側に突出する支持レール部５２ａが形成されている。
【００１５】
無端搬送チェーン機構１８ｂも同様に被駆動スプロケットホイール２２ｂ（図３を参照されたい）、従動スプロケットホイール２４ｂ（図４を参照された）及びこれらに巻き掛けられた無端チェーン２６ｂを具備している。図１及び図３から理解されるとおり、無端搬送チェーン機構１８ｂの被駆動スプロケットホイール２２ｂは、無端搬送チェーン機構１８ａの被駆動スプロケットホイール２２ａよりも下流に位置せしめられており、従って無端チェーン２６ｂの上方搬送走行部３２ｂ及び下方戻り走行部３４ｂの下流端は、無端搬送チェーン２６ａの上方搬送走行部３２ａ及び下方戻り走行部３４ａの下流端よりも下流に位置せしめられている。被駆動スプロケットホイール２２ｂは回転軸２８ｂに固定されており、回転軸２８ｂは適宜の伝動手段（図示していない）を介して電動モータでよい回転駆動源（図示していない）に接続されている。回転駆動源が付勢されると被駆動スプロケットホイール２２ｂ、従ってこれに巻き掛けられている無端チェーン２６ｂが矢印で示す方向に駆動される。従動スプロケットホイール２４ｂは回転軸３０ｂに装着されている。
【００１６】
無端チェーン２６ｂの上方搬送走行部３２ｂと下方戻り走行部３４ｂも、無端チェーン２６ａの上方搬送走行部３２ａと下方戻り走行部３４ａと同様に、上方静止案内手段３６ｂと下方静止案内手段３８ｂとによって延在軌跡が規定され、成形型移動径路４における成形品受渡領域６に沿って円弧状に延びる上流部と、略半円形状に延在する中間部と、直線状に延びる下流部とを有する。上方静止案内手段３６ｂ及び下方静止案内手段３８ｂは、夫々、上方静止案内手段３６ａ及び下方静止案内手段３８ａと同様に、案内溝４８ｂ及び５０ｂが形成されている主部材４０ｂ及び４２ｂと板部材４４ｂ及び４６ｂとから構成されている。そして、無端チェーン２６ｂには案内溝４８ｂ及び５０ｂの開放されている内側面上端部を通って内側に突出する支持レール部５２ｂが形成されている。
【００１７】
図１と共に図４及び図５を参照することによって明確に理解されるとおり、無端チェーン２６ａの上方搬送走行部３２ａと無端チェーン２６ｂの上方搬送走行部３２ｂとの横方向間隔は、成形型移動経路４における成形品受渡領域６に沿ってその下方を円弧状に延びる上流部における上流半部において、前成形体である成形品８の口頸部１０に形成されているネックリング１４の外径よりも幾分大きい間隔であるあるのが好都合である間隔Ｇ１からネックリング１４よりも下方の外径よりは大きいがネックリング１４の外径よりは小さい間隔Ｇ２まで下流に向って漸次低減せしめられている。そして、上流部の下流半部、略半円形状に延在する中間部及び直線状に延びる下流部においては、無端チェーン２６ａの上方搬送走行部３２ａと無端チェーン２６ｂの上方搬送走行部３２ｂとの横方向間隔は上記間隔Ｇ２に維持されている。無端チェーン２６ａの下方戻り走行部３４ａと無端チェーン２６ｂの下方戻り走行部３４ｂとの間隔は、上方搬送走行部３２ａ及び３２ｂの移動方向に見て上流端（即ち従動スプロケットホイール２４ａ及び２４ｂに係合している部位）から下流端近傍（即ち被駆動スプロケットホイール２２ａ及び２２ｂの近傍）までは例えばネックリング１４の外径よりも幾分大きい上記間隔Ｇ１と同一であり、下流端近傍から下流端（即ち被駆動スプロケットホイール２２ａ及び２２ｂに係合している部位）に向かって漸次幅狭になり、下流端においては下方戻り走行部３４ａ及び３４ｂの幅方向位置は夫々上方搬送走行部３２ａに合致せしめられる。無端チェーン２６ａの下方戻り走行部３４ａと無端チェーン２６ｂの下方戻り走行部３４ｂとの横方向間隔が、無端チェーン２６ａの上方搬送走行部３２ａと無端チェーン２６ｂの上方搬送走行部３２ｂとの横方向間隔Ｇ２よりも大きく、例えば上記間隔Ｇ１である場合、図５を参照することによって明確に理解される如く、下方戻り走行部３４ａと下方戻り走行部３４ｂとが成形品８の下端よりも上方に位置せしめられていても、例えば上方搬送走行部３２ａと上方搬送走行部３２ｂとに支持されて搬送されている成形品８が横方向に振動せしめられた場合にも、成形品８が下方戻り走行部３４ａ及び下方戻り走行部３４ｂに接触することが充分確実に回避することができる。従って、無端チェーン２６ａ及び２６ｂにおける上方搬送走行部３２ａ及び３２ｂと下方戻り走行部３４ａ及び３４ｂとの上下方向間隔を充分に小さく設定し、成形受渡領域６に沿って圧縮成形装置における成形型の上下方向に開かれた開放空間内に配置することができる。
【００１８】
図１と共に図３を参照して説明を続けると、一対の付加無端搬送機構２０ａ及び２０ｂの各々は、夫々、被駆動スプロケットホイール（図示していない）、従動スプロケットホイール５４ａ及び５４ｂ及びこれらに巻き掛けられた無端チェーン５６ａ及び５６ｂから構成されている。無端チェーン５６ａの上方搬送走行部５８ａと無端搬送チェーン５６ｂの上方搬送走行部５８ｂとは横方向に上記間隔Ｇ２と同一でよい間隔をおいて相互に平行に直線状に延びている。無端チェーン５６ａの下方戻り走行部６０ａと無端チェーン５６ｂの下方戻り走行部６０ｂとは横方向に上記間隔Ｇ２と同一でよい間隔をおいて相互に平行に延びている。無端チェーン５４ａの上方搬送走行部５８ａ及び下方戻り走行部６０ａの上流端は上記無端チェーン２６ａの上方搬送走行部３２ａ及び下方戻り走行部３４ａに隣接して位置せしめられている。そして、無端チェーン２６ａの上方搬送走行部３２ａの下流端と無端チェーン５６ａの上方搬送走行部５８ａとの間には静止案内部材６２ａが配設されている。図３から理解されるとおり、無端チェーン２６ａの上方搬送走行部３２ａの上面、静止案内部材６２ａの上面及び無端チェーン５４ａの上方搬送走行部５８ａの上面は実質上同高であり、滑らかに連続せしめられている。無端チェーン５４ｂの上方搬送走行部５８ｂ及び下方戻り走行部６０ｂの上流端は上記無端チェーン２６ｂの上方搬送走行部３２ｂ及び下方戻り走行部３４ｂに隣接して位置せしめられている。従って、無端チェーン５４ｂの上方搬送走行部５８ｂ及び下方戻り走行部６０ｂの上流端は、無端チェーン５４ａの上方搬送走行部５８ａ及び下方戻り走行部６０ａの上流端よりも下流に位置せしめられている。無端チェーン２６ｂの上方搬送走行部３２ｂの下流端と無端チェーン５６ｂの上方搬送走行部５８ｂとの間にも静止案内部材６２ｂが配設されている。無端チェーン２６ｂの上方搬送走行部３２ｂの上面、静止案内部材６２ｂの上面及び無端チェーン５４ｂの上方搬送走行部５８ｂの上面も実質上同高であり、滑らかに連続せしめられている。
【００１９】
上述したとおりの成形品搬送装置１６の作用を説明すると次のとおりである。図１、図２、図４及び図５を参照することによって明確に理解される如く、成形型移動経路４における成形品受渡領域６においては、成形型２における主部即ちブロー成形部１２を規定する部分（図示していない）は既に成形品８から離脱されており、成形型２はその一部が正立状態にある成形品８の口頸部１０を把持しブロー成形ブ１２を露呈せしめた状態で移動せしめられる。成形品８を把持した成形型２は成形品受渡領域６を移動せしめられる際に漸次下降せしめられ、かくして成形品８の露呈されているブロー成形部１２が、一対の無端搬送チェーン機構１８ａ及び１８ｂ間に、更に詳細にはそれらの無端チェーン２６ａの上方搬送走行部３２ａと無端搬送チェーン２６ｂの上方搬送走行部３２ｂとの間に侵入せしめられる。成形品受渡領域６において成形型２の移動経路に沿ってその下方を移動せしめられる無端チェーン２６ａ及び２６ｂの移動速度は成形型２の移動速度と実質上同一であるのが好適である。
【００２０】
成形型２が所定高さまで下降せしめられて成形品８のネックリング１４の下面が無端チェーン２６ａ及び２６ｂの上方搬送走行部３２ａ及び３２ｂの上面に近接する状態或いは接触する状態になると、成形型２が完全に開かれて成形品８は成形型２から完全に離脱される。そして、図５に図示する如く、成形品８は無端チェーン２６ａ及び２６ｂの上方搬送走行部３２ａ及び３２ｂ上に支持されるようになる。しかる後においては、成形品８は無端チェーン２６ａ及び２６ｂに支持され、無端チェーン２６ａ及び２６ｂの移動に付随して移動せしめられる。
【００２１】
成形型２から無端チェーン２６ａ及び２６ｂへの成形品８の上述したとおりの受渡においては、成形品８の比較的低温に冷却され得るネックリング１４の下面のみが、成形型２と実質上同一速度で従って成形品８と実質上同一速度で移動せしめられている無端チェーン２６ａ及び２６ｂによって支持され、成形品８のブロー成形部１２に無端チェーン２６ａ及び２６ｂが接触することはなく、それ故に成形型８に望ましくない損傷が生成される虞は実質上皆無乃至充分に抑制されることが留意されるべきである。
【００２２】
上述したとおりにして一対の無端搬送チェーン機構１８ａ及び１８ｂに受け渡された成形品８は、無端チェーン２６ａ及び２６ｂの上方搬送走行部３２ａ及び３２ｂに支持されて搬送され、次いで一対の付加無端搬送チェーン機構２０ａ及び２０ｂに、更に詳しくはそれらの無端チェーン５６ａ及び５６ｂに受け渡される。この際には、無端チェーン２６ａの下流端及び無端チェーン５６ａの上流端は無端チェーン２６ｂの下流端及び無端チェーン５６ｂの上流端よりも上流に位置せしめられている故に、成形品８は最初に無端チェーン２６ａの上方搬送走行部３２ａから無端チェーン５６ａの上方搬送走行部５８ａに受け渡され、しかる後に無端チェーン２６ｂの上方搬送走行部３２ｂから無端チェーン５６ｂの上方搬送走行部５８ｂに受け渡される。無端チェーン２６ａの上方搬送走行部３２ａから無端チェーン５６ａの上方搬送走行部５８ａに成形品８が受け渡される際には、成形品８は静止案内部材６２ａ上を通過することになるが、この際には無端チェーン２６ｂが成形品８を搬送している故に成形品８の移動が阻害されて成形品８が停止してしまうことはない。同様に、無端チェーン２６ｂの上方搬送走行部３２ｂから無端チェーン５６ｂの上方搬送走行部５８ｂに成形品８が受け渡される際には、成形品８は静止案内部材６２ｂ上を通過することになるが、この際には無端チェーン５６ｂが成形品８を搬送している故に成形品８の移動が阻害されて成形品８が停止してしまうことはない。無端チェーン５６ａ及び５６ｂの移動速度は無端チェーン２６ａ及び２６ｂの移動速度（従って成形型２の移動速度）よりも遅く設定されており、無端チェーン５６ａ及び５６ｂによって搬送される間に成形品８は所要温度まで冷却される。そして、無端チェーン５６ａ及び５６ｂから所要手段、例えば成形品を一旦収容するための収集手段（図示していない）或いは成形品のブロー成形部１２にブロー成形を施すためのブロー成形装置（図示していない）、に受け渡される。
【図面の簡単な説明】
【００２３】
【図１】本発明に従って構成された成形品搬送装置の好適実施形態を図示する簡略平面図。
【図２】図１の成形品搬送装置における一対の無端搬送機構の上流部を図示する簡略側面図。
【図３】図１の成形品搬送装置における一対の無端搬送チェーン機構と一対の付加無端搬送チェーン機構との境界領域を図示する簡略側面図。
【図４】図１の成形品搬送装置における一対の無端搬送機構の上流端を図示する横断面図。
【図５】図１の成形品搬送装置における一対の無端搬送チェーン機構の中間部を図示する横断面図。
【符号の説明】
【００２４】
２：成形型
４：成形型移動経路
６：成形品受渡領域
８：成形品
１０：成形品（前成形体）の口頸部
１２：成形品（前成形体）のブロー成形部
１４：成形品（前成形体）のネックリング
１６：成形品搬送装置
１８ａ及び１８ｂ：無端搬送チェーン機構
２０ａ及び２０ｂ：付加無端搬送チェーン機構
２６ａ及び２６ｂ：無端チェーン
３２ａ及び３２ｂ：無端チェーンの上方搬送走行部
３４ａ及び３４ｂ：無端チェーンの下方戻り走行部
５６ａ及び５６ｂ：無端チェーン
５８ａ及び５８ｂ：無端チェーンの上方搬送走行部
６０ａ及び６０ｂ：無端チェーンの下方戻り走行部
６２ａ及び６２ｂ：静止案内部材
【図１】
2005297350.tif 000003
【図２】
2005297350.tif 000004
【図３】
2005297350.tif 000005
【図４】
2005297350.tif 000006
【図５】
2005297350.tif 000007